(57)【特許請求の範囲】
【請求項１】
内部にコイルアンテナを配設した合成樹脂製のカバーを、車両のルーフパネルに装着するようにした車両用ルーフアンテナにおいて、
前記カバーの底面開口の周縁部に形成した接合面を、両面粘着テープにより車両のルーフパネルに貼り付けて該カバーを前記ループパネルに装着するとともに、
保持筒を前記カバーの天井部から下向きに突設し、前記コイルアンテナの下端部が、前記底面開口より上部に位置するように前記保持筒で前記コイルアンテナを保持したことを特徴とする車両用ルーフアンテナ。
【請求項２】
前記コイルアンテナの下端に接続するブースターアンプ又はアンテナケーブルを係止する係止突部を、前記底面開口より上部に位置するように前記カバーの内側壁部に一体成形したことを特徴とする請求項１に記載の車両用ルーフアンテナ。
【請求項３】
前記カバーは、車両の前方部及び天井部に向かって先細りに形成されていることを特徴とする請求項１又は請求項２に記載の車両用ルーフアンテナ。
【発明の詳細な説明】
【技術分野】
【０００１】
本発明は、内部にアンテナを配設した合成樹脂製のカバーを、車両のルーフパネルに装着するようにした車両用ルーフアンテナに関するものである。
【背景技術】
【０００２】
従来の車両用ルーフアンテナは、特開２００４−３６３７４７号公報に開示されるアンテナ装置のように、カバー部材の内部に配設されるアンテナやアンテナモジュール等の電子部品に対する防水対策が施されている。その防水対策は、カバー部材の底面開口をボトムプレートで塞ぐとともに、該ボトムプレートの周囲を覆うガスケットを配置してカバー部材の密閉性を確保するようにしてきた。
【０００３】
上記のように防水対策を施すためには、多くの部品が必要であるとともに、部品加工の精度を高める必要があり高価となる。また、カバー部材の内部と外部の温度差に基づく気圧変化が生じ、内部気圧が低くなると隙間から雨水や洗浄水が浸入する恐れがある。
【０００４】
そして、一旦内部に侵入した水分が、その防水対策のため排水されないでカバー部材内に残ると、湿度が高まって電子部品が破壊されたり、半田付け部分に錆が発生したり、アンテナケーブルが腐食したりする等の問題点が生ずる。
【特許文献１】特開２００４−３６３７４７号公報
【発明の開示】
【発明が解決しようとする課題】
【０００５】
本発明は、上記した問題点を解決するためになされたもので、防水対策の必要がなく構成が簡易で部品点数が少ない安価な車両用ルーフアンテナを提供することを目的とするものである。
【課題を解決するための手段】
【０００６】
上記の目的を達成するための請求項１に記載の発明は内部にコイルアンテナを配設した合成樹脂製のカバーを、車両のルーフパネルに装着するようにした車両用ルーフアンテナにおいて、
前記カバーの底面開口の周縁部に形成した接合面を、両面粘着テープにより車両のルーフパネルに貼り付けて該カバーを前記ループパネルに装着するとともに、
保持筒を前記カバーの天井部から下向きに突設し、前記コイルアンテナの下端部が、前記底面開口より上部に位置するように前記保持筒で前記コイルアンテナを保持したことを特徴とする。
【０００７】
請求項２に記載の発明は、請求項１に記載の車両用ルーフアンテナにおいて、前記コイルアンテナの下端に接続するブースターアンプ又はアンテナケーブルを係止する係止突部を、前記底面開口より上部に位置するように前記カバーの内側壁部に一体成形したことを特徴とする。
【０００８】
請求項３に記載の発明は、請求項１又は請求項２に記載の車両用ルーフアンテナにおいて、前記カバーは、車両の前方部及び天井部に向かって先細りに形成されていることを特徴とする。
【発明の効果】
【０００９】
請求項１に記載の車両用ルーフアンテナによれば、コイルアンテナを保持する保持筒を、カバーの天井部から下向きに突設したもので、該保持筒に保持されるコイルアンテナの底面開口より上部に位置する下端部が、カバーとルーフパネルとの隙間から浸入し、ルーフパネルに沿ってカバー内を流れる雨水等と接触することがないから、カバーの底面開口を開放したままで、ゴムシートやシール剤を用いてカバー内部を密閉する防水対策の必要がない。
【００１０】
請求項２に記載の車両用ルーフアンテナによれば、コイルアンテナの下端に接続するブースターアンプ又はアンテナケーブルを、カバーの内側壁部に一体成形した係止突部に係止し、底面開口より上部に位置するコイルアンテナの下端部及びブースターアンプ又はアンテナケーブルが、カバーとルーフパネルとの隙間から浸入し、ルーフパネルに沿ってカバー内を流れる雨水等と接触することがないから、カバーの底面開口を開放したままで、ゴムシートやシール剤を用いてカバー内部を密閉する防水対策の必要がない。
【００１１】
請求項３に記載の車両用ルーフアンテナによれば、カバーが前方部及び天井部に向かって先細りに形成されているから、高速走行時の風切り音を低減することができる。
【実施例】
【００１２】
本発明に係る車両用ルーフアンテナ１について、添付図面を参照して説明する。図１は車両用ルーフアンテナ１の正面図、図２は図１に於けるＡ−Ａ線断面図、図３は底面図である。車両用ルーフアンテナ１を構成する軟質の合成樹脂製のカバー２は、平面視形状が略舟形に成形され、装着される車両の前方に向く前端２ａに向かって先細りの形態で形成され、後端に向かって流線型の側面２ｂが連続している。
【００１３】
カバー２の上面には、平面視船形の突出部３が一体成形されている(図２参照)。突出部３の内部には、保持筒部４が下向きに一体成形されている。また、突出部３の内面壁５の両側には、後述するブースターアンプ１２やアンテナケーブル１３等を係止する係止爪６ａ，６ｂが一体成形されている。そして、カバー２の底面開口７の周縁部の全体に接合面８が形成されている。カバー２の後端の接合面８には、アンテナケーブル導出用の切欠９が形成されている。
【００１４】
上記保持筒部４には、スパイラル式のコイルアンテナ１０の上端部が挿入されて保持されている。コイルアンテナ１０の下端１１は、カバー２の底面開口７よりも上部に位置している。そして、下端１１には、樹脂モールドされたブースターアンプ１２を介装したアンテナケーブル１３が接続されている。ブースターアンプ１２及びアンテナケーブル１３は、突出部３の内面壁５の両側に一体成形した係止爪６ａ，６ｂにそれぞれ係止されている。ブースターアンプ１２の位置は、コイルアンテナ１０の下端１１と同様、カバー２の底面開口７よりも上部に位置している。そして、アンテナケーブル１３は、接合面８に形成した切欠９からカバー２の外部に導出されている。また、接合面８には、適宜間隔で両面粘着テープ１４が取り付けられている。
【００１５】
上記車両用ルーフアンテナ１は、カバー２の接合面８に取付けた両面粘着テープ１４により、車両のルーフパネル１００に貼りつけて装着する。この場合、カバー２が軟質の合成樹脂製であるため、ルーフパネル１００の曲面に沿って接合面８が接合する。また、コイルアンテナ１０の下端１１及びブースターアンプ１２の位置は、カバー２の底面開口７より上部に位置している。従って、ルーフパネル１００に沿ってカバー２内を流れる雨水等と接触することがないから、カバー２の底面開口７を開放したままで、ゴムシートやシール剤を用いてカバー内部を密閉する防水対策の必要がなく、構成が簡易で部品点数が少ないため安価に製造することができる。内部点検もルーフパネル１００から取り外すだけで簡単にできる。
【００１６】
また、カバー２の接合面８とルーフパネル１００との接合を両面粘着テープ１４により行うから、取付け作業が簡単かつ迅速にできる。そして、カバー２が前方部及び天井部に向かって先細りに形成されているから、高速走行時の風切り音を低減することができる。
尚、図４に示すように、ブースターアンプ１２をカバー２内に配設しない簡易形態の車両用ルーフアンテナ１ａもある。
【００１７】
図５から図７は、車両用ルーフアンテナの参考例を示したものである。図５に示した車両用ルーフアンテナ２１は、カバー２の突出部３の内面形状に合わせて巻装したアンテナ線２２を、該突出部３の内面に配置して接着剤により接着して、樹脂フィルム若しくはＰＥＴ２３で被覆したものである。
【００１８】
図６に示した車両用ルーフアンテナ３１は、ジグザグ形に形成したアンテナ３２線を突出部３内に樹脂モールドしたものである。また、図７に示した車両用ルーフアンテナ４１は、プラスチックフィルムにジグザグ形の導電パターンを形成した導電膜アンテナ４２を、カバー２の突出部３の内部に接着したものである。
【００１９】
上記車両用ルーフアンテナ２１，３１及び４１のアンテナ線２２、３２及び導電膜アンテナ４２の下端は、何れもカバー２の底面開口７より上部に位置している。従って、ルーフパネル１００に沿ってカバー２内を流れる雨水等と接触することがないから、カバー２の底面開口７を開放したままで、ゴムシートやシール剤を用いてカバー内部を密閉する防水対策の必要がない。
【００２０】
尚、車両用ルーフアンテナ２１，３１及び４１の取付け方法は、上記車両用ルーフアンテナ１と同様であるので、詳細な説明を省略する。また、カバー２のルーフパネル１００への装着は、ビスを用いて装着したり、接着剤で直接接着したりすることもできる。
【図面の簡単な説明】
【００２１】
【図１】車両用ルーフアンテナの正面図である。
【図２】図１におけるＡ−Ａ線断面図である。
【図３】車両用ルーフアンテナの底面図である。
【図４】車両用ルーフアンテナの変形例を示した側面図である。
【図５】カバー内に配設するアンテナの参考例を示した断面図である。
【図６】カバー内に配設するアンテナの参考例を示した断面図である。
【図７】カバー内に配設するアンテナの参考例を示した断面図である。
【符号の説明】
【００２２】
１，２１，３１，４１  車両用ルーフアンテナ
２  カバー
２ａ  前端
３  突出部
４  保持筒部
５  内側壁部
６  係止爪
７  底面開口
８  接合面
１０  コイルアンテナ
１１  下端
１２  ブースターアンプ
１３  アンテナケーブル
１４  両面粘着テープ
２１、３１  アンテナ線
４１  導電膜アンテナ
【図１】
0004798721.tif 000002
【図２】
0004798721.tif 000003
【図３】
0004798721.tif 000004
【図４】
0004798721.tif 000005
【図５】
0004798721.tif 000006
【図６】
0004798721.tif 000007
【図７】
0004798721.tif 000008